(57)【特許請求の範囲】
【請求項１】
対向した略同一長さの二本のゴム紐に、前記二本のゴム紐を隣接伸長した状態で摺動自在となる大きさの穴が貫通したビーズを挿通し、前記ビーズが前記二本のゴム紐から脱落しないように前記二本のゴム紐の両端部に抜け出し防止部を設けた袋口しめ用ゴム紐において、前記二本のゴム紐に前記ビーズを複数挿通し、前記ゴム紐の一端部の抜け出し防止部にはＳ状環と前記Ｓ状環に掛着可能な輪状の結び目を設け、前記二本のゴム紐の他端部の抜け出し防止部には結び目をそれぞれ設けたことを特徴とする袋口しめ用ゴム紐。
【発明の詳細な説明】
【０００１】
【発明の属する技術分野】
この発明はビニール袋や柔らかい布袋などの袋の口を締めるための袋類の口しめ具に関するものである。
【０００２】
【従来の技術】
スーパーマーケットや食品店をはじめとして一般的に用いられている幅広に開口された薄いビニール製の簡易袋類や布袋などに品物を入れて袋の口をしめるときには、袋に余裕のあるときには袋の口近くを結んで結び目を設けたり、市販の輪ゴムや紐類を用いて袋口をしめるのが一般的であった。
これらの方法は袋の口をしめるときには簡単にしめられる場合もあるが状況によってはなかなかしめられなかったり、またしめられた袋の中のものを出すためには結ばれている結び目を緩めたり、グルグル巻きにされている輪ゴムや紐類をはずしたりするなどの煩わしさややりづらさを伴う場合も生じていた。
【０００３】
そのために従来より様々な方法や形状の袋口しめ具が開発されており、それらの中にはゴム紐とビーズ類を用いたものも多数提案されていた。
また、ゴム紐やビーズ類を用いたものの中には女の子が用いるゴム紐の両端部に飾りがついた通称ポニーと呼ばれるものや、和・洋裁時に用いる袖・裾の捲くり上げ用の「止めバンド」（登録実用新案第３０５５５５０号）、または「仮性包茎のペニスを矯正するビーズバンド器具」（実公平６―６４６２２）類もあるが、これらは袋の口をしめることを目的としたものではないために袋の口をしめるときには使用しづらかったり、また使用ができるとした場合でもゴム紐に通されたビーズ類か抜け出す危険があるなど、袋の口しめ用としての応用には不向きなものであった。
【０００４】
【発明が解決しようとする課題】
そこで本発明では子供から老人まで誰でも手軽に簡単に袋の口をしめたり、開けたりすることができるようにした袋の口しめ具の提供を目的としたものである。
【０００５】
【課題を解決するための手段】
課題を解決するために本発明は次のようなものである。すなわち、対向した略同一長さの二本のゴム紐に、前記二本のゴム紐を隣接伸長した状態で摺動自在となる大きさの穴が貫通したビーズを挿通し、前記ビーズが前記二本のゴム紐から脱落しないように前記二本のゴム紐の両端部に抜け出し防止部を設けた袋口しめ用ゴム紐において、前記二本のゴム紐に前記ビーズを複数挿通し、前記ゴム紐の一端部の抜け出し防止部にはＳ状環と前記Ｓ状環に掛着可能な輪状の結び目を設け、前記二本のゴム紐の他端部の抜け出し防止部には結び目をそれぞれ設けたことを特徴とする袋口しめ用ゴム紐である。
【０００６】
用いるゴム紐は洋・和裁用に用いられるもの、または模型・工作用に用いられるものなど通常家庭や学校・職場などで一般的に用いられるものでよく、その形状はゴム紐の表面が被覆材で覆われているもの、または被覆材で覆われていないもの、またゴム紐の断面形状は丸形、角形、平形、チューブ状のものなど、ゴム紐を伸長した状態時にゴム紐上をビーズ類が容易に移動できるものであればよい。
【０００７】
二本あわせのゴム紐を伸長した状態で摺動自在となる大きさの穴が貫通したビーズを挿通するビーズ以外のものとして、ビーズ類、トンボ玉類をはじめとして任意の素材に開けられた穴が二本あわせのゴム紐の通常時の状態、すなわちゴム紐が伸ばされてないときの状態の時には通されたビーズ類は容易に動くことはなく、逆に二本あわせのゴム紐がのびた状態となったときには移動させることができる径の穴を有するものでよい。
なを、二本あわせのゴム紐を伸長した状態で摺動自在となる大きさの穴は、あけられた穴が直線的に開けられたものに限るものではない。
【０００８】
ビーズ類をさかいとしたゴム紐の任意の両側に設けるビーズ類の抜け出し防止部は、ゴム紐が二本あわせのままの形態のものに抜け出し防止部を設けたもの、または二本あわせのゴム紐の一方、または両方のそれぞれにビーズ類の抜け出し防止部となるものを設けることによりあわせて抜け出し防止部としての作用をはたすもの、あるいはそれらを組み合わせて抜け出し防止部としたものでよい。
【０００９】
ビーズ類の抜け出し防止部は、抜け出し防止部が固定された形態のもの、または移動はするが抜け出し防止部としての作用を果たす移動可能な形態のものとすることができる。
固定された抜け出し防止部とは、ゴム紐自身を結んで結び目をつくり抜け出し防止部としたもの、またはゴム紐に抜け出し防止部とするための紐や針金類を巻き付けたり、別材を固定した状態で取り付けて抜け出し防止部としたもの、あるいは当初より抜け出し防止部分となる部分が形成されたゴム紐を用いた形態の抜け出し防止部である。
【００１０】
また移動はするがビーズ類の抜け出し防止部としての作用を果たす移動可能な形態の抜け出し防止部とは、一本のゴム紐を折り返して二本あわせとした折り返し部に通されたトンボ玉やビーズ類、または後からはめ込むことができる形状のゼムクリップ状材、あるいは二つ割りのリング状のものをゴム紐を間に挟む形状であわせたものを例とするごとく、移動可能な形態で取り付けた抜け出し防止部である。
このことは、輪状のゴム紐を用いて二本あわせのゴム紐とした袋口しめ用ゴム紐に設ける移動可能なビーズ類の抜け出し防止部においても同様である。
【００１１】
二本あわせのゴム紐とビーズ類、ならびにビーズ類の抜けだし防止部で構成する袋口しめ部は、二本あわせのゴム紐上に連続して形成したものでもよい。
すなわち二本あわせのゴム紐上に、ビーズ類の抜け出し防止部と伸ばした状態の二本あわせのゴム紐上に通したビーズ類とを交互に連続させて配置し、最後にビーズ類の抜け出し防止部を設けた形状とすることにより連続させた袋口しめ用のゴム紐とすることができるものである。
【００１２】
二本あわせで伸ばした状態のゴム紐に通すビーズ類の数は、ビーズ類の抜け出し防止部と抜け出し防止部との間に一、または二以上通したものでよく、二以上のビーズ類が通されたものにおいては一つ目のビーズ類にて袋の口をしめた上で袋口を折り返し、折り返した袋口を二つ目のビーズ類を用いて再度しめることができるなど、一個のビーズ類で袋口をしめるだけでは不安な場合などはそれらの不安も解消されることになる。
【００１３】
袋口しめ用ゴム紐には、二本あわせのゴム紐上に通したビーズ類やビーズ類の抜け出し防止部に、袋の口をしめるのに支障がない限り加工を施したもの、または飾り類を取り付けたもの、あるいは持ち手類を含む使用上の補助材類を取り付けたものとしてもよい。
【００１４】
これらの袋口しめ用ゴム紐を使用するときには、二本あわせのゴム紐に通されたビーズ類と、ビーズ類の抜け出し防止部との間にある二本あわせのゴム紐とゴム紐との間に袋口近くを挿入して挟み、挟んだ袋が挟まれたままの状態であることを確認しながらビーズ類をビーズ類の抜け出し防止部方向に移動して袋の口をしめるものである。
しめられた袋の口は、通常時には移動しないビーズ類によって常時しめられたままの状態を保つことができることになる。
【００１５】
また、逆にしめられている袋の口を開けるときには、ビーズ類をビーズ類の抜け出し防止部と反対方向に移動させることにより、袋をしめつけていた二本あわせのゴム紐がゆるむために簡単に袋の口を開けることができるものである。
【００１６】
【発明の実施の形態】
本発明の実施の形態の最良のものを例１として図１に基づいて説明する。図１は一本のゴム紐を折り返して二本あわせとした袋口しめ用ゴム紐の正面図である。
すなわち、一本のゴム紐１―ｂを折り返して並べて二本あわせのゴム紐１とした上で、二本あわせのゴム紐１に二本あわせのゴム紐１を伸ばした状態で通せる径の穴を有するビーズ２―ａを一個通し、通したビーズ２―ａをさかいとした両側の二本あわせのゴム紐１を二本あわせのままそれぞれに結んで結び目３―ａ、３―ａを設けてビーズ類の抜け出し防止部３、３とした袋口しめ用ゴム紐である。
ゴム紐に通したビーズ２ーａの両側に設ける結び目３―ａ、３―ａは、ゴム紐の端部を残した状態で設けたもので、残した部分は袋口しめ用ゴム紐を使用するときの持ち手部４、４としたものである。
【００１７】
図２は実施の形態の例１に示した袋口しめ用ゴム紐の使用例の形態図である。
実施の形態の例１に示した袋口しめ用ゴム紐を使用するときには、口をしめようとする袋５の口方向を袋口しめ用ゴム紐のビーズ２―ａとビーズ類の抜け出し防止部３との間にある二本あわせのゴム紐１―ｂとゴム紐１―ｂとの間に挿入させた上でビーズ２―ａをビーズ類の抜け出し防止部３となる結び目３―ａ方向へ引き寄せることにより、二本あわせのゴム紐１―ｂとゴム紐１―ｂとの間に挿入された袋の口がしめられるものである。
また、しめられている袋の口を開けるときには、袋の口をしめるときとは逆の操作をすることにより、しめられていた袋の口を簡単に開けることができるものである。
【００１８】
実施の形態の例２を図３に基づいて説明する。図３は一本ずつの単独のゴム紐を二本用いて二本あわせとした袋口しめ用ゴム紐の正面図である。
すなわち、一本ずつの単独のゴム紐１−ａ、１−ａを二本用いて二本あわせのゴム紐１としたものに、二本あわせのゴム紐１を伸ばした状態で通せる径の穴を有するビーズ２−ａ、２−ａ、２−ａ三個を通し、通した三個のビーズ２−ａ、２−ａ、２−ａの両側のビーズ２−ａ、２−ａより外方向に位置するゴム紐１−ａ、１−ａ、１−ａの各端部のそれぞれにビーズ類の抜け出し防止部３、３、３、３を設けて袋口しめ用ゴム紐としたものである。
設けるビーズ類の抜け出し防止部３、３、３、３は、二本あわせのゴム紐１の一方側にある二本のゴム紐１−ａ、１−ａの各端部の二本共にそれぞれ結び目３−ｂ、３−ｂを設けてビーズ類の抜け出し防止部３、３とし、もう一方の反対側にある二本のゴム紐１−ａ、１−ａの各端部にはそれぞれ異なる形態の抜け出し防止部３、３となるもの、すなわち二本のゴム紐１−ａ、１−ａの内の一本の端部にはゴム紐１−ａの端部を結んで輪状３−ｃとした抜け出し防止部３を設け、残るもう一本のゴム紐１−ａの端部にはＳ状環３−ｄを取り付けて抜け出し防止部３としたものである。
この袋口しめ用ゴム紐を使用するときには、二本あわせのゴム紐１の間に挿入する袋口近くを、ビーズ２−ａとビーズ２−ａとの間に位置する二本あわせのゴム紐１の間に挿入した後に一方のビーズ２−ｂを引き寄せて袋口をしめるものである。また、二本あわせのゴム紐１の一方側の端部に設けられた輪状３−ｃのビーズ類の抜け出し防止部３とＳ状環３−ｄが取り付けられたビーズ類の抜け出し防止部３とを引っ掛け合わせることにより形成される環状の部分に袋口近くを挿入して袋の口をしめることもできるものである。
【００１９】
実施の形態の例３を図４に基づいて説明する。図４は輪状のゴム紐を寄せ合わせて二本あわせとした袋口しめ用ゴム紐の正面図である。
二本あわせのゴム紐１は、輪状になっているゴム紐１−ｃを寄せ合わせて二本あわせのゴム紐１とし、二本あわせのゴム紐１を伸ばした状態で通せる径の穴を有するトンボ玉２−ｂを一個通し、通したトンボ玉２−ｂの両側方向に位置するゴム紐１の輪状のそれぞれにビーズ類の抜け出し防止部３、３とするためのリング（すれ違い状に重ねられたリングで、リングの端部より輪状のゴム紐に通しくぐらせることができる形状のもの）３、３を通した移動はするがビーズ類の抜け出し防止部３としての作用を果たすことになるビーズ類の抜け出し防止部３、３の設けられた袋口しめ用ゴム紐である。
この袋口しめ用ゴム紐を用いるときには、実施の形態の例１に準ずるものである。
【００２０】
実施の形態の例４を図５に基づいて説明する。図５は袋口しめ部を連続させて形成した袋口しめ用ゴム紐の正面図である。
すなわち、一本のゴム紐１−ｂを折り返して並べて二本あわせのゴム紐１とした上で、二本あわせのゴム紐１に二本あわせのゴム紐１を伸ばした状態で通せる径の穴を有するビーズ２−ａ、２−ａを二個通し、通した二個のビーズ２−ａ、２−ａのそれぞれをさかいとした各両方向となる部分にビーズ類の抜け出し防止部３、３、３を設けて二本あわせのゴム紐１上に連続して形成した袋口しめ用ゴム紐である。
二個のビーズ２−ａ、２−ａのそれぞれをさかいとした各両方向となる部分に設けるビーズ類の抜け出し防止部３、３、３は、二本あわせのゴム紐１の両端部となる部分には飾りボタン状材３−ｆ、３−ｆのものを二本あわせのままのゴム紐にそれぞれに取り付けてビーズ類の抜け出し防止部３、３とし、また二本あわせのゴム紐１上に通されたビーズ２−ａとビーズ２−ａとの間には連続形とするために双方を区切る仕切り材３−ｇをビーズ類の抜け出し防止部３を兼ねるものとして固定させて取り付けて連続する形の袋口しめ用ゴム紐としたものである。
この袋口しめ用ゴム紐を使用するときには、一方の袋口しめ用ゴム紐部にて袋の口をしめることに加えて、もう一方の袋口しめ用ゴム紐部も利用できるために、一度しめた袋口を折り返して再度しめることができたり、袋と同時に保管したいものを挟んでおいたりすることができるものである。
【００２１】
【発明の効果】
これらの発明に係る袋口しめ用ゴム紐を使用するときには、従来より用いられている袋の口の開けしめの方法とは異なり、二本状になっているゴム紐とゴム紐との間に袋の口近くを挟みこんで二本あわせのゴム紐に通されたビーズ類を引き寄せるだけで袋の口をしめたり開けたりすることができるために、難しい操作や力の必要な操作ができない子供から老人までの誰にでも袋の開けしめが容易にできるという効果がある。
またこれらの袋口しめ用ゴム紐は、ゴム紐に通されたビーズ類の抜け出し防止部がビーズ類の両側に設けられているために、ビーズ類をはさむいずれの側にある二本のゴム紐の間に袋口近くを挿入しても袋の口がしめられる上に、袋口近くを挿入し損じた状態でビーズ類を動かしたときでもビーズ類が抜け出す心配がないことが特徴となっているものである。
【図面の簡単な説明】
【図１】  一本のゴム紐を折り返して二本あわせとした袋口しめ用ゴム紐の正面図である。
【図２】  袋口しめ用ゴム紐の使用例の形態図である。
【図３】  一本ずつの単独のゴム紐を二本用いて二本あわせとした袋口しめ用ゴム紐の正面図である。
【図４】  輪状のゴム紐を寄せ合わせて二本あわせとした袋口しめ用ゴム紐の正面図である。
【図５】  袋口しめ部を連続させて形成した袋口しめ用ゴム紐の正面図である。
【符号の説明】
１・・・・・二本あわせのゴム紐
１−ａ・・・一本ずつのゴム紐を二本あわせとした形状の二本あわせのゴム紐
１−ｂ・・・一本のゴム紐を折り返して並べた形状の二本あわせのゴム紐
１−ｃ・・・輪状のゴム紐を寄せ合わせた形状の二本あわせのゴム紐
２・・・・・ビーズ類
２−ａ・・・ビーズ
２−ｂ・・・トンボ玉
３・・・・・ビーズ類の抜け出し防止部
３−ａ・・・ゴム紐二本あわせの結び目
３−ｂ・・・ゴム紐一本での結び目
３−ｃ・・・ゴム紐を結んでできた輪状部
３−ｄ・・・Ｓ状環
３−ｅ・・・輪状部に通せるリング
３−ｆ・・・飾りボタン状材
３−ｇ・・・仕切部
４・・・・・持ち手部
５・・・・・袋
【図１】
0003936168.tif 000002
【図２】
0003936168.tif 000003
【図３】
0003936168.tif 000004
【図４】
0003936168.tif 000005
【図５】
0003936168.tif 000006